(57)【特許請求の範囲】
【請求項１】
原稿を読み取る画像読み取り装置であって、
前記原稿において反射した光を集光する光学素子と、
前記光学素子が集光した光を受光する撮像手段と、
本体と、
前記本体に取り付けられていると共に、前記光学素子が取り付けられている第１のベースと、
前記第１のベースに取り付けられていると共に、前記撮像素子が取り付けられている第２のベースと、
を備えており、
前記本体に対する前記第１のベースの位置が、前記光学素子を通過する光の進行方向に段階的に調整可能であることによって、前記原稿から前記光学素子までの間における光の経路長が、段階的に調整可能であり、
前記光学素子から前記撮像手段までの間における光の経路長が、無段階的に調整可能であり、
前記第１のベース又は前記本体のいずれか一方には、前記進行方向に並ぶ目盛りが設けられており、
前記第１のベース又は前記本体のいずれか他方には、前記目盛りを指し示す基準部が設けられていること、
を特徴とする画像読み取り装置。
【請求項２】
原稿を読み取る画像読み取り装置であって、
前記原稿において反射した光を集光する光学素子と、
前記光学素子が集光した光を受光する撮像手段と、
本体と、
前記本体に取り付けられていると共に、前記光学素子が取り付けられている第１のベースと、
前記第１のベースに取り付けられていると共に、前記撮像素子が取り付けられている第２のベースと、
を備えており、
前記本体に対する前記第１のベースの位置が、前記光学素子を通過する光の進行方向に段階的に調整可能であることによって、前記原稿から前記光学素子までの間における光の経路長が、段階的に調整可能であり、
前記光学素子から前記撮像手段までの間における光の経路長が、無段階的に調整可能であり、
前記第１のベース又は前記本体のいずれか一方に、前記進行方向において異なる位置に複数の第１の孔が設けられており、
前記第１のベース又は前記本体のいずれか他方に、第２の孔が設けられており、
前記第１のベースは、前記第１の孔のいずれか及び前記第２の孔に挿入されているねじにより、前記本体に固定されていること、
を特徴とする画像読み取り装置。
【請求項３】
原稿を読み取る画像読み取り装置であって、
前記原稿において反射した光を集光する光学素子と、
前記光学素子が集光した光を受光する撮像手段と、
本体と、
前記本体に取り付けられていると共に、前記光学素子が取り付けられている第１のベースと、
前記第１のベースに取り付けられていると共に、前記撮像素子が取り付けられている第２のベースと、
を備えており、
前記本体に対する前記第１のベースの位置が、前記光学素子を通過する光の進行方向に段階的に調整可能であることによって、前記原稿から前記光学素子までの間における光の経路長が、段階的に調整可能であり、
前記光学素子から前記撮像手段までの間における光の経路長が、無段階的に調整可能であり、
前記第１のベースには、前記光学素子を取り付けるための複数の第１の取り付け部が設けられていると共に、該各第１の取り付け部に対応するように、前記第２のベースを取り付けるための複数の第２の取り付け部が設けられており、
前記原稿から前記各第１の取り付け部に取り付けられる前記光学素子までの間における光の経路長が、異なっていること、
を特徴とする画像読み取り装置。
【請求項４】
前記複数の第１の取り付け部は、前記進行方向に直交する方向に並んでおり、かつ、該進行方向において異なる位置に設けられていること、
を特徴とする請求項３に記載の画像読み取り装置。
【請求項５】
前記第１のベースには、前記各第１の取り付け部に対応するように、前記本体に対する複数の位置決め部が設けられており、
前記各第１の取り付け部に取り付けられる前記光学素子から該各第１の取り付け部に対応する前記複数の位置決め部までの距離が異なっていること、
を特徴とする請求項３に記載の画像読み取り装置。
【請求項６】
前記第１のベースには、前記本体に対する１つの位置決め部が設けられており、
前記各第１の取り付け部に取り付けられる前記光学素子から前記位置決め部までの距離が異なっていること、
を特徴とする請求項３に記載の画像読み取り装置。
【請求項７】
前記第１のベースは、複数箇所の取り付け箇所において前記本体に対して取り付けられており、
前記各取り付け箇所における前記第１のベースと前記本体との間の間隔が調整可能であること、
を特徴とする請求項１ないし請求項６のいずれかに記載の画像読み取り装置。
【請求項８】
前記光学素子には、光学特性に関する情報が付与されていること、
を特徴とする請求項１ないし請求項７のいずれかに記載の画像読み取り装置。
【請求項９】
請求項１ないし請求項８のいずれかに記載の画像読み取り装置の製造方法であって、
前記光学素子には、光学特性に関する情報が付与されており、
前記原稿から前記光学素子までの間における光の経路長と前記光学特性に関する情報とが対応付けられており、
前記光学素子を取得する第１の工程と、
前記原稿から前記光学素子までの間における光の経路長を、前記第１の工程において取得した該光学素子の前記光学特性に関する情報に対応する経路長に調整する第２の工程と、
前記第１の工程において選択した前記光学素子から前記撮像手段までの間における光の経路長を調整する第３の工程と、
を備えていること、
を特徴とする画像読み取り装置の製造方法。
【発明の詳細な説明】
【技術分野】
【０００１】
本発明は、画像読み取り装置及びその製造方法に関し、特に、原稿において反射した光を光学素子により撮像素子に集光する画像読み取り装置及びその製造方法に関する。
【背景技術】
【０００２】
従来の画像読み取り装置としては、例えば、特許文献１に記載の画像読み取り装置が知られている。図１２は、特許文献１に記載の原稿読み取り装置の撮像ユニット５００の外観斜視図である。
【０００３】
撮像ユニット５００は、レンズ支持板５０２、結像レンズ５０４、レンズ固定バンド５０６、撮像素子５０８及び撮像素子取り付け板５１０を供えている。結像レンズ５０４は、原稿において反射した光を集光し、レンズ支持板５０２に対してレンズ固定バンド５０６により取り付けられている。撮像素子５０８は、結像レンズ５０４が集光した光を受光し、撮像素子取り付け板５１０に取り付けられている。撮像素子取り付け板５１０は、レンズ支持板５０２に対して取り付けられている。該撮像ユニット５００では、以下に説明するように、第１の位置合わせ及び第２の位置合わせの２つの位置合わせが行われる。
【０００４】
まず、第１の位置合わせについて説明する。画像読み取り装置では、結像レンズ５０４が集光した光を撮像素子５０８において所定の倍率で結像させる必要がある。そこで、結像レンズ５０４と画像読み取り装置本体（以下、本体と称す）との第１の位置合わせを行って、原稿と結像レンズ５０４との距離を最適な距離に調整する。第１の位置合わせでは、撮像素子５０８の出力をモニタで確認しながら、結像レンズ５０４が集光した光が撮像素子５０８において所定の倍率で結像する位置にレンズ支持板５０２の位置を調整して、該レンズ支持板５０２を本体に取り付ける。
【０００５】
次に、第２の位置合わせについて説明する。画像読み取り装置では、結像レンズ５０４が集光した光を撮像素子５０８に結像させる必要がある。そこで、結像レンズ５０４と撮像素子５０８との第２の位置合わせを行って、結像レンズ５０４と撮像素子５０８との間の距離を最適な距離に調整する。第２の位置合わせでは、撮像素子５０８の出力をモニタで確認しながら、撮像素子５０８のピントが合う位置に撮像素子取り付け板５１０の位置を調整して、該撮像素子取り付け板５１０をレンズ支持板５０２に固定する。
【０００６】
ところで、特許文献１に記載の画像読み取り装置は、製造に時間がかかるという問題を有している。より詳細には、第１の位置合わせ及び第２の位置合わせ共に、撮像素子５０８の出力をモニタで確認しながら行う必要がある。そのため、第１の位置合わせ及び第２の位置合わせではそれぞれ、数分程度の時間が必要となる。その結果、特許文献１に記載の画像読み取り装置の製造に時間がかかってしまう。
【先行技術文献】
【特許文献】
【０００７】
【特許文献１】特開２００８−３２８２１号公報
【発明の概要】
【発明が解決しようとする課題】
【０００８】
そこで、本発明の目的は、短時間で製造可能な画像読み取り装置及びその製造方法を提供することである。
【課題を解決するための手段】
【０００９】
本発明の第１の形態に係る画像読み取り装置は、原稿を読み取る画像読み取り装置であって、前記原稿において反射した光を集光する光学素子と、前記光学素子が集光した光を受光する撮像手段と、本体と、前記本体に取り付けられていると共に、前記光学素子が取り付けられている第１のベースと、前記第１のベースに取り付けられていると共に、前記撮像素子が取り付けられている第２のベースと、を備えており、前記本体に対する前記第１のベースの位置が、前記光学素子を通過する光の進行方向に段階的に調整可能であることによって、前記原稿から前記光学素子までの間における光の経路長が、段階的に調整可能であり、前記光学素子から前記撮像手段までの間における光の経路長が、無段階的に調整可能であり、前記第１のベース又は前記本体のいずれか一方には、前記進行方向に並ぶ目盛りが設けられており、前記第１のベース又は前記本体のいずれか他方には、前記目盛りを指し示す基準部が設けられていること、を特徴とする。
【００１０】
本発明の第２の形態に係る画像読み取り装置は、原稿を読み取る画像読み取り装置であって、前記原稿において反射した光を集光する光学素子と、前記光学素子が集光した光を受光する撮像手段と、本体と、前記本体に取り付けられていると共に、前記光学素子が取り付けられている第１のベースと、前記第１のベースに取り付けられていると共に、前記撮像素子が取り付けられている第２のベースと、を備えており、前記本体に対する前記第１のベースの位置が、前記光学素子を通過する光の進行方向に段階的に調整可能であることによって、前記原稿から前記光学素子までの間における光の経路長が、段階的に調整可能であり、前記光学素子から前記撮像手段までの間における光の経路長が、無段階的に調整可能であり、前記第１のベース又は前記本体のいずれか一方に、前記進行方向において異なる位置に複数の第１の孔が設けられており、前記第１のベース又は前記本体のいずれか他方に、第２の孔が設けられており、前記第１のベースは、前記第１の孔のいずれか及び前記第２の孔に挿入されているねじにより、前記本体に固定されていること、を特徴とする。
【００１１】
本発明の第３の形態に係る画像読み取り装置は、原稿を読み取る画像読み取り装置であって、前記原稿において反射した光を集光する光学素子と、前記光学素子が集光した光を受光する撮像手段と、本体と、前記本体に取り付けられていると共に、前記光学素子が取り付けられている第１のベースと、前記第１のベースに取り付けられていると共に、前記撮像素子が取り付けられている第２のベースと、を備えており、前記本体に対する前記第１のベースの位置が、前記光学素子を通過する光の進行方向に段階的に調整可能であることによって、前記原稿から前記光学素子までの間における光の経路長が、段階的に調整可能であり、前記光学素子から前記撮像手段までの間における光の経路長が、無段階的に調整可能であり、前記第１のベースには、前記光学素子を取り付けるための複数の第１の取り付け部が設けられていると共に、該各第１の取り付け部に対応するように、前記第２のベースを取り付けるための複数の第２の取り付け部が設けられており、前記原稿から前記各第１の取り付け部に取り付けられる前記光学素子までの間における光の経路長が、異なっていること、を特徴とする。
【００１２】
前記画像読み取り装置の製造方法は、前記光学素子には、光学特性に関する情報が付与されており、前記原稿から前記光学素子までの間における光の経路長と前記光学特性に関する情報とが対応付けられており、前記光学素子を取得する第１の工程と、前記原稿から前記光学素子までの間における光の経路長を、前記第１の工程において取得した該光学素子の前記光学特性に関する情報に対応する経路長に調整する第２の工程と、前記第１の工程において選択した前記光学素子から前記撮像手段までの間における光の経路長を調整する第３の工程と、を備えていること、を特徴とする。
【発明の効果】
【００１３】
本発明によれば、画像読み取り装置を短時間で製造できる。
【図面の簡単な説明】
【００１４】
【図１】本発明の実施形態に係る画像読み取り装置の構成図である。
【図２】撮像ユニットの外観斜視図である。
【図３】撮像ユニットをｙ軸方向の負方向側から平面視した図である。
【図４】撮像ユニットをｚ軸方向の正方向側から平面視した図である。
【図５】図４の撮像ユニットにおいて、レンズホルダを取り外した図である。
【図６】第１の変形例に係るベースをｚ軸方向の正方向側から平面視した図である。
【図７】第２の変形例に係るベースをｚ軸方向の正方向側から平面視した図である。
【図８】第３の変形例に係るベースを含む撮像ユニットの外観斜視図である。
【図９】第３の変形例に係るベースを含む撮像ユニットをｚ軸方向の正方向側から平面視した図である。
【図１０】第３の変形例に係るベースをｚ軸方向の正方向側から平面視した図である。
【図１１】第４の変形例に係るベースをｚ軸方向の正方向側から平面視した図である。
【図１２】特許文献１に記載の原稿読み取り装置の撮像ユニットの外観斜視図である。
【発明を実施するための形態】
【００１５】
（画像読み取り装置の構成）
以下に、本発明の実施形態に係る画像読み取り装置１０の構成について図面を参照しながら説明する。図１は、本発明の実施形態に係る画像読み取り装置１０の構成図である。以下では、鉛直方向をｚ軸方向と定義し、スライダー部１８，２０の移動方向をｘ軸方向と定義する。そして、ｘ軸方向及びｚ軸方向に直交する方向をｙ軸方向と定義する。ｘ軸、ｙ軸及びｚ軸は互いに直交している。
【００１６】
画像読み取り装置１０は、図１に示すように、本体１２、プラテンガラス１４、スライダー部１８，２０及び撮像ユニット４０を備えている。
【００１７】
本体１２は、プラテンガラス１４、スライダー部１８，２０及び撮像ユニット４０が設けられている直方体状の筐体である。本体１２は、ｚ軸方向の負方向側の底面において取り付け部１２ａを有している。取り付け部１２ａは、後述する撮像ユニット４０が取り付けられる平面である。
【００１８】
プラテンガラス１４は、本体１２のｚ軸方向の正方向側に設けられている開口に取り付けられている長方形状の透明板である。原稿Ｐは、プラテンガラス１４の主面上に、読み取り面がｚ軸方向の負方向側に向いた状態で載置される。
【００１９】
スライダー部１８は、図１に示すようにプラテンガラス１４のｚ軸方向の負方向側においてｘ軸方向に移動可能に構成されており、光源２７及びミラー２９を含んでいる。光源２７は、例えば、蛍光管により構成されており、プラテンガラス１４上の原稿Ｐに対して光を照射する。ミラー２９は、図１に示すように、原稿Ｐにおいて反射した光をｘ軸方向の負方向側に反射させる。
【００２０】
スライダー部２０は、図１に示すようにプラテンガラス１４のｚ軸方向の負方向側においてｘ軸方向に移動可能に構成されており、ミラー３０，３２を含んでいる。ミラー３０は、ミラー２９からの光をｚ軸方向の負方向側に反射させる。ミラー３２は、ミラー３０からの光をｘ軸方向の正方向側に反射させる。
【００２１】
撮像ユニット４０は、ミラー３２が反射した光を受光して原稿Ｐの像を読み取る。以下に、撮像ユニット４０について図面を参照しながら説明する。図２は、撮像ユニット４０の外観斜視図である。図３は、撮像ユニット４０をｙ軸方向の負方向側から平面視した図である。図４は、撮像ユニット４０をｚ軸方向の正方向側から平面視した図である。図５は、図４の撮像ユニット４０において、レンズホルダ４５を取り外した図である。
【００２２】
撮像ユニット４０は、図２ないし図４に示すように、レンズ４２、撮像素子４４、レンズホルダ４５、取り付け部材４６及びベース５０，５２を含んでいる。レンズ４２は、図１に示すように、原稿Ｐにおいて反射し、ミラー２９，３０，３２を経由してきた光を集光する。撮像素子４４は、レンズ４２が集光した光によって得られる光学像が結像する位置に設けられ、該光学像を走査して原稿Ｐの像を読み取る。撮像素子４４は、ｙ軸方向に延びる一次元状の撮像領域を有するＣＣＤカメラ等のラインセンサである。
【００２３】
レンズホルダ４５は、図２に示すように、レンズ４２を保持する筒状部材である。ベース５０は、長方形状の金属板であり、レンズホルダ４５が取り付けられている部材である。ベース５０には、図５に示すように、取り付け部Ｈ１としての孔が設けられている。レンズホルダ４５は、取り付け部Ｈ１に嵌め込まれている。
【００２４】
取り付け部材４６は、バンド４６ａ及びねじ４６ｂにより構成されており、レンズホルダ４５をベース５０に固定する。より詳細には、バンド４６ａの一端は、ベース５０に設けられている孔Ｈａ（図５参照）に挿入されて引っ掛けられている。バンド４６ａは、レンズホルダ４５に対して巻きつけられている。そして、バンド４６ａの他端は、ベース５０に対してねじ４６ｂにより固定されている。なお、レンズホルダ４５は、ベース５０に対して位置調整できない状態で固定されている。
【００２５】
ベース５０には、ｘ軸方向に延在する長孔（取り付け箇所）ｈａ〜ｈｃが設けられている。長孔ｈａは、ベース５０のｘ軸方向の負方向側の長辺近傍に設けられている。長孔ｈｂ，ｈｃはそれぞれ、ベース５０のｙ軸方向の負方向側の短辺近傍及びｙ軸方向の正方向側の短辺近傍に設けられている。そして、長孔ｈａ〜ｈｃにはそれぞれ、ねじ４７ａ〜４７ｃが挿入されている。ねじ４７ａ〜４７ｃは、図３に示すように、長孔ｈａ〜ｈｃを貫通し、取り付け部１２ａに設けられている丸孔（図示せず）を貫通している。これにより、ベース５０は、本体１２の取り付け部１２ａに取り付けられている。
【００２６】
また、ねじ４７ａ〜４７ｃとして段ねじが用いられている。これにより、ねじ４７ａ〜４７ｃの絞めこみ量を調整することによって、長孔ｈａ〜ｈｃにおけるベース５０と取り付け部１２ａとの距離を調整することができる。すなわち、取り付け部１２ａに対してベース５０がなす角度を調整することができる。
【００２７】
また、ベース５０には、位置決め部６０が設けられている。位置決め部６０は、目盛り６２及び長孔ｈｄにより構成されている。長孔ｈｄは、ベース５０に設けられており、ｘ軸方向に延在している。目盛り６２は、長孔ｈｄのｙ軸方向の正方向側及び負方向側に付されており、ｙ軸方向に延在する３本の線がｘ軸方向に並ぶことにより構成されている。
【００２８】
一方、本体１２の取り付け部１２ａには、基準部１２ｂが設けられている。基準部１２ｂは、取り付け部１２ａからｚ軸方向の正方向側に向かって突出している突起であり、長孔ｈｄに挿入されている。そして、基準部１２ｂは、長孔ｈｄ内において目盛り６２を指し示している。これにより、図４（ａ）及び図４（ｂ）に示すように、本体１２に対するベース５０の位置が、レンズ４２を通過する光の進行方向（すなわち、ｘ軸方向）に段階的に調整可能となっている。すなわち、原稿Ｐからレンズ４２までの間における光の経路長Ｌ１（図１参照）が、段階的に調整可能である。なお、経路長Ｌ１は、原稿Ｐのｚ軸方向の負方向側の面からレンズ４２の主点までの距離を意味する。
【００２９】
更に、ベース５０は、固定部材７０ａ，７０ｂ及びねじ７２ａ，７２ｂにより固定されている。より詳細には、固定部材７０ａ，７０ｂはそれぞれ、取り付け部１２ａにねじ７２ａ，７２ｂにより固定されていると共に、ベース５０のｙ軸方向の負方向側の短辺近傍及びｙ軸方向の正方向側の短辺近傍をｚ軸方向の負方向側に押し付けている。
【００３０】
ベース５２は、Ｔ字型をなす金属板により構成されており、取り付け部５２ａ及び固定部５２ｂにより構成されている。取り付け部５２ａは、ｘ軸に対して垂直をなしている。取り付け部５２ａのｘ軸方向の負方向側の面には、撮像素子４４が取り付けられている。固定部５２ｂは、ｚ軸に対して垂直をなしており、取り付け部５２ａに溶接等により接合されている。
【００３１】
固定部５２ｂは、ベース５０に取り付けられている。より詳細には、固定部５２ｂには、ｘ軸方向に延在する長孔ｈｅ，ｈｆが設けられている。長孔ｈｅ，ｈｆは、ｙ軸方向に並ぶように設けられている。そして、長孔ｈｅ，ｈｆにはそれぞれ、ねじ５４ａ，５４ｂが挿入されている。ねじ５４ａ，５４ｂはそれぞれ、図３に示すように、長孔ｈｅ，ｈｆを貫通し、ベース５２に設けられている丸孔（図示せず）を貫通している。これにより、ベース５２は、本体１２の取り付け部１２ａに取り付けられている。
【００３２】
また、固定部５２ｂには、ｘ軸方向に延在する長孔ｈｇが設けられている。ただし、長孔ｈｇの周囲には目盛りは付されていない。ベース５０には、基準部５０ａが設けられている。基準部５０ａは、ベース５０からｚ軸方向の正方向側に向かって突出している突起であり、長孔ｈｇに挿入されている。これにより、ベース５０に対するベース５２の位置が、レンズ４２を通過する光の進行方向（すなわち、ｘ軸方向）に無段階的に調整可能となっている。すなわち、レンズ４２から撮像素子４４までの間における光の経路長Ｌ２（図１参照）が、無段階的に調整可能である。なお、経路長Ｌ２は、レンズ４２の主点から撮像素子４４の受光面までの距離を意味する。
【００３３】
（画像読み取り装置の製造方法）
以下に、画像読み取り装置１０の製造方法について説明する。以下では、撮像ユニット４０の組み立て及び撮像ユニット４０の本体１２への取り付けについて説明する。
【００３４】
レンズ４２には、製造ばらつきが存在し、焦点距離等の光学特性にばらつきが存在する。焦点距離のばらつきは、倍率のばらつきに関係し、許容範囲を超えると撮像素子４４の有効画素範囲内に像が収まらなくなる。そのため、レンズ４２には、光学特性に関する情報（特に、倍率のばらつきに関する情報）が付与（記載）されている。本実施形態では、光学特性に関する情報を焦点距離とする。そこで、複数のレンズ４２を焦点距離に基づいて複数のグループに分ける。本実施形態では、第１のグループ、第１のグループの焦点距離よりも長い焦点距離を有する第２のグループ、第２のグループの焦点距離よりも長い焦点距離を有する第３のグループに複数のレンズ４２を分ける。
【００３５】
次に、グループ分けしたレンズ４２を１つ取得する。そして、図２に示すように、取得したレンズ４２をレンズホルダ４５に取り付け、更に、レンズホルダ４５を取り付け部材４６によりベース５０に取り付ける。
【００３６】
次に、図２に示すように、ベース５２の取り付け部５２ａに撮像素子４４を取り付ける。
【００３７】
次に、取得したレンズ４２の焦点距離に対応する経路長に経路長Ｌ１を調整する。より詳細には、レンズ４２の焦点距離が相対的に長い場合には、経路長Ｌ１を相対的に長くする必要があり、レンズ４２の焦点距離が相対的に短い場合には、経路長Ｌ１を相対的に短くする必要がある。
【００３８】
そこで、画像読み取り装置１０では、経路長Ｌ１と焦点距離とが対応付けられている。具体的には、第１のグループに属するレンズ４２は、基準部１２ｂが目盛り６２のｘ軸方向の最も正方向側の線と一致したときの経路長Ｌ１に対応している。第２のグループに属するレンズ４２は、基準部１２ｂが目盛り６２のｘ軸方向の真ん中の線と一致したときの経路長Ｌ１に対応している（図４（ａ）及び図５（ａ）参照）。第３のグループに属するレンズ４２は、基準部１２ｂが目盛り６２のｘ軸方向の最も負方向側の線と一致したときの経路長Ｌ１に対応している（図４（ｂ）及び図５（ｂ）参照）。そこで、取得したレンズ４２の属するグループに基づいて、基準部１２ｂを一致させる線を決定する。そして、ねじ４７ａ〜４７ｃによりベース５０を取り付け部１２ａに取り付ける。更に、固定部材７０ａ，７０ｂ及びねじ７２ａ，７２ｂを取り付ける。これにより、ベース５０が本体１２の取り付け部１２ａに取り付けられる。以上の工程を経て、撮像ユニット４０の組み立て及び撮像ユニット４０の本体１２への取り付けが完了する。
【００３９】
次に、経路長Ｌ２の調整を行う。より詳細には、撮像素子４４からの出力をモニタで確認しながら、撮像素子４４のピントが合う位置にベース５２の位置を調整する。この後、ベース５２をねじ５４ａ，５４ｂにより、ベース５０に取り付ける。
【００４０】
この後、必要に応じて、図示しない制御部は、撮像素子４４において結像する光学像の原稿Ｐに対する倍率を、所望の倍率に電子変倍により調整する。
【００４１】
（効果）
本実施形態に係る画像読み取り装置１０、その製造方法及びベース５０によれば、短時間で製造することができる。より詳細には、特許文献１に記載の画像読み取り装置では、結像レンズ５０４と画像読み取り装置本体（以下、本体と称す）との第１の位置合わせ及び結像レンズ５０４と撮像素子５０８との第２の位置合わせが行われる。そして、第１の位置合わせ及び第２の位置合わせ共に、撮像素子５０８の出力をモニタで確認しながら行う必要がある。そのため、第１の位置合わせ及び第２の位置合わせではそれぞれ、数分程度の時間が必要となる。その結果、特許文献１に記載の画像読み取り装置の製造に時間がかかってしまう。
【００４２】
ところで、画像読み取り装置１０では、以下に説明するように、経路長Ｌ１の調整の際に要求される精度は、経路長Ｌ２の調整の際に要求される精度に比べて低い。より詳細には、画像読み取り装置１０の光学系が縮小光学系であるため、経路長Ｌ１が経路長Ｌ２に比べて長い。そのため、経路長Ｌ１が所望の値からずれた場合に光学系に及ぼされる影響は、経路長Ｌ２が所望の値からずれた場合に光学系に及ぼされる影響よりも小さい。
【００４３】
更に、経路長Ｌ１が所望の値からずれた場合には、撮像素子４４において結像する光学像の原稿Ｐに対する倍率が所望の値からずれる。しかしながら、倍率は、撮像素子４４に接続された制御部において電子変倍を行うことにより補正できる。以上の理由により、経路長Ｌ１の調整の際に要求される精度は、経路長Ｌ２の調整の際に要求される精度に比べて低い。
【００４４】
そこで、画像読み取り装置１０及びベース５０では、原稿Ｐからレンズ４２までの間における光の経路長Ｌ１が、段階的に調整可能である。更に、レンズ４２の光学特性に関する情報と複数段階の経路長Ｌ１（目盛り６２）とを対応付けておくことにより、レンズ４２を取得した段階で該レンズ４２に適した経路長Ｌ１を決定することができる。その結果、経路長Ｌ１（目盛り６２）の調整の際に、撮像素子４４からの出力をモニタで確認する必要がなく、基準部１２ｂを目盛り６２に合わせるだけでよい。本実施形態に係る画像読み取り装置１０及びその製造方法では、経路長Ｌ１の調整は、数十秒程度で済む。以上より、画像読み取り装置１０、その製造方法及びベース５０によれば、短時間で製造することができる。
【００４５】
また、画像読み取り装置１０及びベース５０では、長孔ｈａ〜ｈｃにおけるベース５０と取り付け部１２ａとの距離を調整することができる。これにより、取り付け部１２ａに対するベース５０の傾きを調整することができる。すなわち、レンズ４２の光軸のｘｙ平面に対する傾きを調整することができる。
【００４６】
（第１の変形例）
以下に、第１の変形例に係るベース５０Ａについて図面を参照しながら説明する。図６は、第１の変形例に係るベース５０Ａをｚ軸方向の正方向側から平面視した図である。
【００４７】
ベース５０では、ベース５０の本体１２に対する位置を調整することにより、経路長Ｌ１を調整していた。これに対して、ベース５０Ａでは、レンズ４２のベース５０Ａに対する位置を調整することにより経路長Ｌ１を調整する。以下により詳細に説明する。
【００４８】
ベース５０Ａには、図６に示すように、レンズホルダ４５を取り付けるための複数（３つ）の孔である取り付け部Ｈ１−１〜Ｈ１−３が設けられている。更に、ベース５０Ａには、３つの取り付け部Ｈ１−１〜Ｈ１−３に対応するように、ベース５２を取り付けるための複数組（３組）の丸孔ｈ１−１〜ｈ１−３，ｈ２−１〜ｈ２−３が設けられている。更に、ベース５０Ａには、３つの取り付け部Ｈ１−１〜Ｈ１−３に対応するように、レンズホルダ４５を固定するためのバンド４６ａを引っ掛けるための孔Ｈａ−１〜Ｈａ−３が設けられている。更に、ベース５０Ａには、３つの取り付け部Ｈ１−１〜Ｈ１−３に対応するように、ベース５０Ａを取り付け部１２ａに取り付けるための複数組（３組）の丸孔ｈ'ａ−１〜ｈ'ａ−３，ｈ'ｂ−１〜ｈ'ｂ−３，ｈ'ｃ−１〜ｈ'ｃ−３が設けられている。
【００４９】
ここで、図６に示すように、取り付け部Ｈ１−１〜Ｈ１−３は、ｙ軸方向の正方向側からこの順に並んでおり、ｘ軸方向において異なる位置に（すなわち、ずらされて）設けられている。具体的には、取り付け部Ｈ１−１は、取り付け部Ｈ１−２よりも、ｘ軸方向の正方向側に位置している。更に、取り付け部Ｈ１−２は、取り付け部Ｈ１−３よりも、ｘ軸方向の正方向側に位置している。これにより、原稿Ｐから取り付け部Ｈ１−１〜Ｈ１−３に取り付けられるレンズ４２までの間における光の経路長Ｌ１がそれぞれ異なっている。すなわち、ベース５０Ａは、経路長Ｌ１が異なる３つのベース５０がｚ軸方向に３つ連結された構造を有している。
【００５０】
以上のようなベース５０Ａでは、取得したレンズ４２が属するグループに基づいて、いずれの取り付け部Ｈ１−１〜Ｈ１−３を用いるのかを決定すればよい。これにより、短時間で経路長Ｌ１の調整を行うことができる。
【００５１】
また、ベース５０Ａでは、丸孔ｈ'ａ−１〜ｈ'ａ−３，ｈ'ｂ−１〜ｈ'ｂ−３，ｈ'ｃ−１〜ｈ'ｃ−３は、長孔ではない。そのため、ベース５０Ａを本体１２の取り付け部１２ａに取り付ける際に、ベース５０Ａと取り付け部１２ａとの位置を調整する必要がない。その結果、ベース５０Ａの取り付け部１２ａに対する取り付けに要する時間を更に短縮できる。
【００５２】
（第２の変形例）
以下に、第２の変形例に係るベース５０Ｂについて図面を参照しながら説明する。図７は、第２の変形例に係るベース５０Ｂをｚ軸方向の正方向側から平面視した図である。
【００５３】
ベース５０Ｂでは、ベース５０と同様に、ベース５０Ｂの本体１２に対する位置を調整することにより、経路長Ｌ１を調整する。ただし、ベース５０では、目盛り６２に基準部１２ｂを合わせることにより経路長Ｌ１の調整を行うのに対して、ベース５０Ｂでは、複数の丸孔の中からねじ４７ａ〜４７ｃを挿入する丸孔を選択することにより経路長Ｌ１の調整を行う。以下により詳細に説明する。
【００５４】
ベース５０Ｂには、レンズホルダ４５を取り付けるための取り付け部Ｈ１は１つだけ設けられている。ただし、ベース５０Ｂを本体１２の取り付け部１２ａに取り付けるための３組の丸孔ｈ'ａ−１〜ｈ'ｃ−１，ｈ'ａ−２〜ｈ'ｃ−２，ｈ'ａ−３〜ｈ'ｃ−３が設けられている。ｈ'ａ−１〜ｈ'ｃ−１，ｈ'ａ−２〜ｈ'ｃ−２，ｈ'ａ−３〜ｈ'ｃ−３はそれぞれ、ｘ軸方向において異なる位置に設けられている。すなわち、丸孔ｈ'ａ−１〜ｈ'ｃ−１はそれぞれ、丸孔ｈ'ａ−２〜ｈ'ｃ−２よりもｘ軸方向の正方向側に設けられている。また、丸孔ｈ'ａ−２〜ｈ'ｃ−２はそれぞれ、丸孔ｈ'ａ−３〜ｈ'ｃ−３よりもｘ軸方向の正方向側に設けられている。
【００５５】
一方、取り付け部１２ａには、ベース５０Ｂを本体１２の取り付け部１２ａに取り付けるための３組の丸孔ｈ'ｄ−１〜ｈ'ｆ−１，ｈ'ｄ−２〜ｈ'ｆ−２，ｈ'ｄ−３〜ｈ'ｆ−３が設けられている。丸孔ｈ'ｄ−１〜ｈ'ｆ−１はそれぞれ、丸孔ｈ'ａ−１〜ｈ'ｃ−１に対応している。丸孔ｈ'ｄ−２〜ｈ'ｆ−２はそれぞれ、丸孔ｈ'ａ−２〜ｈ'ｃ−２に対応している。丸孔ｈ'ｄ−３〜ｈ'ｆ−３はそれぞれ、丸孔ｈ'ａ−３〜ｈ'ｃ−３に対応している。そして、丸孔ｈ'ｄ−１〜ｈ'ｄ−３は、ｘ軸方向の同じ位置においてｙ軸方向に一列に並んでいる。丸孔ｈ'ｅ−１〜ｈ'ｅ−３は、ｘ軸方向の同じ位置においてｙ軸方向に一列に並んでいる。丸孔ｈ'ｆ−１〜ｈ'ｆ−３は、ｘ軸方向の同じ位置においてｙ軸方向に一列に並んでいる。
【００５６】
ベース５０Ｂは、３組の丸孔ｈ'ａ−１〜ｈ'ｃ−１，ｈ'ａ−２〜ｈ'ｃ−２，ｈ'ａ−３〜ｈ'ｃ−３のいずれか及び対応する丸孔ｈ'ｄ−１〜ｈ'ｆ−１，ｈ'ｄ−２〜ｈ'ｆ−２，ｈ'ｄ−３〜ｈ'ｆ−３にねじ４７ａ〜４７ｃが挿入されることにより、本体１２の取り付け部１２ａに固定される。これにより、丸孔ｈ'ａ−１〜ｈ'ｃ−１，ｈ'ｄ−１〜ｈ'ｆ−１が用いられた場合には、丸孔ｈ'ａ−２〜ｈ'ｃ−２，ｈ'ｄ−２〜ｈ'ｆ−２が用いられた場合よりも、経路長Ｌ１が長くなる。また、丸孔ｈ'ａ−２〜ｈ'ｃ−２，ｈ'ｄ−２〜ｈ'ｆ−２が用いられた場合には、丸孔ｈ'ａ−３〜ｈ'ｃ−３，ｈ'ｄ−３〜ｈ'ｆ−３が用いられた場合よりも、経路長Ｌ１が長くなる。
【００５７】
以上のようなベース５０Ｂでは、取得したレンズ４２が属するグループに基づいて、いずれの取り付け丸孔ｈ'ａ−１〜ｈ'ｃ−１，ｈ'ａ−２〜ｈ'ｃ−２，ｈ'ａ−３〜ｈ'ｃ−３を用いるのかを決定すればよい。これにより、短時間で経路長Ｌ１の調整を行うことができる。
【００５８】
また、ベース５０Ｂでは、丸孔ｈ'ａ−１〜ｈ'ｃ−１，ｈ'ａ−２〜ｈ'ｃ−２，ｈ'ａ−３〜ｈ'ｃ−３は、長孔ではない。そのため、ベース５０Ｂを本体１２の取り付け部１２ａに取り付ける際に、ベース５０Ｂと取り付け部１２ａとの位置を調整する必要がない。その結果、ベース５０Ｂの取り付け部１２ａに対する取り付けに要する時間を更に短縮できる。
【００５９】
なお、ベース５０Ｂに設けられている丸孔ｈ'ａ−１〜ｈ'ｃ−１，ｈ'ａ−２〜ｈ'ｃ−２，ｈ'ａ−３〜ｈ'ｃ−３と、本体１２の取り付け部１２ａに設けられている丸孔ｈ'ｄ−１〜ｈ'ｆ−１，ｈ'ｄ−２〜ｈ'ｆ−２，ｈ'ｄ−３〜ｈ'ｆ−３とを入れ替えてもよい。
【００６０】
（第３の変形例）
以下に、第３の変形例に係るベース５０Ｃについて図面を参照しながら説明する。図８は、第３の変形例に係るベース５０Ｃを含む撮像ユニット４０の外観斜視図である。図９は、第３の変形例に係るベース５０Ｃを含む撮像ユニット４０をｚ軸方向の正方向側から平面視した図である。図９（ａ）と図９（ｂ）とでは、ベース５０Ｃに対するレンズホルダ４５の取り付け位置が異なっている。図１０は、第３の変形例に係るベース５０Ｃをｚ軸方向の正方向側から平面視した図である。
【００６１】
ベース５０Ｃでは、ベース５０Ａと同様に、レンズ４２のベース５０Ｃに対する位置を調整することにより経路長Ｌ１を調整する。ただし、ベース５０Ａでは、３つの取り付け部Ｈ１−１〜Ｈ１−３がｙ軸方向に一列に並んでいたのに対して、ベース５０Ｃでは、３つの取り付け部Ｈ１−１〜Ｈ１−３がベース５０Ｃの中心に設けられている。以下により詳細に説明する。
【００６２】
ベース５０Ｃは、図８ないし図１０に示すように、角Ｔ１〜Ｔ３及び辺Ｓ１〜Ｓ３を有する正三角形状をなしている。角Ｔ１〜Ｔ３はそれぞれ、辺Ｓ１〜Ｓ３に対向している。ベース５０Ｃには、３つの丸孔ｈ'ａ〜ｈ'ｃ（図９ではねじに隠れているので点線で図示）が設けられている。丸孔ｈ'ａ〜ｈ'ｃはそれぞれ、角Ｔ１〜Ｔ３の近傍に設けられている。より詳細には、丸孔ｈ'ａ〜ｈ'ｃは、正三角形をなすように配置されている。そして、ベース５０Ｃがなしている正三角形の辺Ｓ１〜Ｓ３と丸孔ｈ'ａ〜ｈ'ｃがなしている正三角形の各辺とは平行であり、かつ、これら２つの正三角形の重心は一致している。ベース５０Ｃは、丸孔ｈ'ａ〜ｈ'ｃにねじ４７ａ〜４７ｃが挿入されることにより、本体１２の取り付け部１２ａに取り付けられる。
【００６３】
また、ベース５０Ｃには、レンズホルダ４５を取り付けるための取り付け部Ｈ１−１〜Ｈ１−３が、ベース５０Ｃの重心に設けられている。具体的には、取り付け部Ｈ１−１は、図９（ｂ）に示すように、角Ｔ１から辺Ｓ１の中点へとレンズ４２の光軸が向かうようにレンズホルダ４５が取り付け可能に構成されている。取り付け部Ｈ１−２は、角Ｔ２から辺Ｓ２の中点へとレンズ４２の光軸が向かうようにレンズホルダ４５が取り付け可能に構成されている。取り付け部Ｈ１−３は、図９（ａ）に示すように、角Ｔ３から辺Ｓ３の中点へとレンズ４２の光軸が向かうようにレンズホルダ４５が取り付け可能に構成されている。すなわち、取り付け部Ｈ１−１に取り付けられたレンズ４２の光軸と取り付け部Ｈ１−２に取り付けられたレンズ４２の光軸と取り付け部Ｈ１−３に取り付けられたレンズ４２の光軸とは、ｚ軸方向の正方向側から平面視したときに、互いに１２０度の角度をなしている。
【００６４】
また、ベース５０Ｃには、図８ないし図１０に示すように、ベース５２を取り付けるための丸孔ｈ１−１〜ｈ１−３，ｈ２−１〜ｈ２−３が設けられている。丸孔ｈ１−１，ｈ２−１は、辺Ｓ１近傍に設けられており、ベース５２を辺Ｓ１近傍に取り付ける際に用いられる。丸孔ｈ１−２，ｈ２−２は、辺Ｓ２近傍に設けられており、ベース５２を辺Ｓ２近傍に取り付ける際に用いられる。丸孔ｈ１−３，ｈ２−３は、辺Ｓ３近傍に設けられており、ベース５２を辺Ｓ３近傍に取り付ける際に用いられる。
【００６５】
以上のような構成を有するベース５０Ｃでは、本体１２の取り付け部１２ａに対する第１の取り付け状態ないし第３の取り付け状態が存在する。より詳細には、第１の取り付け状態では、図９（ｂ）に示すように、角Ｔ１が角Ｔ２，Ｔ３よりもｘ軸方向の負方向側に位置するように、ベース５０Ｃが取り付け部１２ａに取り付けられる。このとき、レンズホルダ４５は、取り付け部Ｈ１−１に取り付けられ、ベース５２は、丸孔ｈ１−１，ｈ２−１によりベース５０Ｃに取り付けられる。そして、第１の取り付け状態では、丸孔ｈ'ａがベース５０Ｃの本体１２に対する位置決め部として機能する。第２の取り付け状態では、角Ｔ２が角Ｔ１，Ｔ３よりもｘ軸方向の負方向側に位置するように、ベース５０Ｃが取り付け部１２ａに取り付けられる。このとき、レンズホルダ４５は、取り付け部Ｈ１−２に取り付けられ、ベース５２は、丸孔ｈ１−２，ｈ２−２によりベース５０Ｃに取り付けられる。そして、第２の取り付け状態では、丸孔ｈ'ｂがベース５０Ｃの本体１２に対する位置決め部として機能する。第３の取り付け状態では、図８及び図９（ａ）に示すように、角Ｔ３が角Ｔ１，Ｔ２よりもｘ軸方向の負方向側に位置するように、ベース５０Ｃが取り付け部１２ａに取り付けられる。このとき、レンズホルダ４５は、取り付け部Ｈ１−３に取り付けられ、ベース５２は、丸孔ｈ１−３，ｈ２−３によりベース５０Ｃに取り付けられる。そして、第１の取り付け状態では、丸孔ｈ'ｃがベース５０Ｃの本体１２に対する位置決め部として機能する。
【００６６】
図９及び図１０に示すように、丸孔ｈ'ａから取り付け部Ｈ１−１に取り付けられているレンズ４２までの距離、丸孔ｈ'ｂから取り付け部Ｈ１−２に取り付けられているレンズ４２までの距離及び丸孔ｈ'ｃから取り付け部Ｈ１−３に取り付けられているレンズ４２までの距離までの距離はそれぞれ異なっている。具体的には、丸孔ｈ'ａから取り付け部Ｈ１−１に取り付けられているレンズ４２までの距離は、丸孔ｈ'ｂから取り付け部Ｈ１−２に取り付けられているレンズ４２までの距離よりも長い。丸孔ｈ'ｂから取り付け部Ｈ１−２に取り付けられているレンズ４２までの距離は、丸孔ｈ'ｃから取り付け部Ｈ１−３に取り付けられているレンズ４２までの距離よりも長い。その結果、取り付け部Ｈ１−１が用いられる第１の取り付け状態における経路長Ｌ１は、取り付け部Ｈ１−２が用いられる第２の取り付け状態における経路長Ｌ１よりも長くなる。更に、取り付け部Ｈ１−２が用いられる第２の取り付け状態における経路長Ｌ１は、取り付け部Ｈ１−３が用いられる第３の取り付け状態における経路長Ｌ１よりも長くなる。以上のように、ベース５０Ｃは、原稿Ｐからレンズ４２までの間における光の経路長Ｌ１（図１参照）が、段階的に調整可能なように構成されている。
【００６７】
以上のようなベース５０Ｃでは、取得したレンズ４２が属するグループに基づいて、いずれの取り付け部Ｈ１−１〜Ｈ１−３を用いるのかを決定すればよい。これにより、短時間で経路長Ｌ１の調整を行うことができる。
【００６８】
また、ベース５０Ｃでは、丸孔ｈ'ａ〜ｈ'ｃは、長孔ではない。そのため、ベース５０Ｃを本体１２の取り付け部１２ａに取り付ける際に、ベース５０Ｃと取り付け部１２ａとの位置を調整する必要がない。その結果、ベース５０Ｃの取り付け部１２ａに対する取り付けに要する時間を更に短縮できる。
【００６９】
また、ベース５０Ｃでは、取り付け部Ｈ１−１〜Ｈ１−３は、ベース５０Ｃの重心に設けられており、互いに一部を共有している。そのため、ベース５０Ｃでは、ベース５０Ａに比べて小型化を図ることが可能である。
【００７０】
（第４の変形例）
以下に、第４の変形例に係るベース５０Ｄについて図面を参照しながら説明する。図１１は、第４の変形例に係るベース５０Ｄをｚ軸方向の正方向側から平面視した図である。
【００７１】
ベース５０Ｃとベース５０Ｄとの相違点は、取り付け部Ｈ１−１〜Ｈ１−３の配置が異なっている点、及び、ベース５０Ｃ，５０Ｄを取り付け部１２ａに取り付けるための丸孔の数である。以下に詳細に説明する。
【００７２】
丸孔ｈ'ａは、ベース５０Ｄの重心に設けられている。丸孔ｈ'ａは、ベース５０Ｄを本体１２の取り付け部１２ａに取り付ける際に用いられると共に、ベース５０Ｄの本体１２に対する位置決め部として機能する。
【００７３】
また、取り付け部Ｈ１−１〜Ｈ１−３はそれぞれ、丸孔ｈ'ａと角Ｔ１〜Ｔ３との間に
設けられている。更に、取り付け部Ｈ１−１〜Ｈ１−３に取り付けられるレンズ４２から丸孔ｈ'ａまでの距離はそれぞれ異なっている。より詳細には、取り付け部Ｈ１−１に取
り付けられるレンズ４２から丸孔ｈ'ａまでの距離は、取り付け部Ｈ１−２に取り付けら
れるレンズ４２から丸孔ｈ'ａまでの距離よりも長い。取り付け部Ｈ１−２に取り付けら
れるレンズ４２から丸孔ｈ'ａまでの距離は、取り付け部Ｈ１−３に取り付けられるレン
ズ４２から丸孔ｈ'ａまでの距離よりも長い。その結果、取り付け部Ｈ１−１が用いられる第１の取り付け状態における経路長Ｌ１は、取り付け部Ｈ１−２が用いられる第２の取り付け状態における経路長Ｌ１よりも長くなる。更に、取り付け部Ｈ１−２が用いられる第２の取り付け状態における経路長Ｌ１は、取り付け部Ｈ１−３が用いられる第３の取り付け状態における経路長Ｌ１よりも長くなる。以上のように、ベース５０Ｄは、原稿Ｐからレンズ４２までの間における光の経路長Ｌ１（図１参照）が、段階的に調整可能なように構成されている。
【００７４】
以上のようなベース５０Ｄでは、取得したレンズ４２が属するグループに基づいて、いずれの取り付け部Ｈ１−１〜Ｈ１−３を用いるのかを決定すればよい。これにより、短時間で経路長Ｌ１の調整を行うことができる。
【００７５】
また、ベース５０Ｄでは、丸孔ｈ'ａは、長孔ではない。そのため、ベース５０Ｄを本体１２の取り付け部１２ａに取り付ける際に、ベース５０Ｄと取り付け部１２ａとの位置を調整する必要がない。その結果、ベース５０Ｄの取り付け部１２ａに対する取り付けに要する時間を更に短縮できる。
【００７６】
また、ベース５０Ｄでは、丸孔ｈ'ａがベース５０Ｄの重心に設けられており、丸孔ｈ'ａの周囲に取り付け部Ｈ１−１〜Ｈ１−３が設けられている。すなわち、ベース５０Ｄでは、丸孔ｈ'ａを取り付け部Ｈ１−１〜Ｈ１−３の位置決め部として共有している。そのため、ベース５０Ｄでは、ベース５０Ａに比べて小型化を図ることが可能である。
【産業上の利用可能性】
【００７７】
本発明は、画像読み取り装置及びその製造方法に有用であり、特に、短時間で製造できる点において優れている。
【符号の説明】
【００７８】
Ｈ１，Ｈ１−１〜Ｈ１−３，１２ａ  取り付け部
１０  画像読み取り装置
１２  本体
１２ｂ  基準部
４０  撮像ユニット
４２  レンズ
４４  撮像素子
４５  レンズホルダ
４６  取り付け部材
５０，５０Ａ〜５０Ｄ，５２  ベース
５０ａ  基準部
５２ａ  取り付け部
５２ｂ  固定部
６０  位置決め部
６２  目盛り
【図１】
0005321557.tif 000002
【図２】
0005321557.tif 000003
【図３】
0005321557.tif 000004
【図４】
0005321557.tif 000005
【図５】
0005321557.tif 000006
【図６】
0005321557.tif 000007
【図７】
0005321557.tif 000008
【図８】
0005321557.tif 000009
【図９】
0005321557.tif 000010
【図１０】
0005321557.tif 000011
【図１１】
0005321557.tif 000012
【図１２】
0005321557.tif 000013